(57)【特許請求の範囲】
【請求項１】
第１筐体と、
第２筐体と、
前記第１筐体と前記第２筐体とを開閉可能に連結し、かつ前記第１筐体と前記第２筐体とを開いた状態から前記第１筐体を表裏反転可能に連結するヒンジ部と、
前記第１筐体において、前記第１筐体と前記第２筐体が閉じたときに対向する対向面に設けられた第１の表示部と、
前記第１筐体において、前記対向面と反対側の反対面に設けられた第２の表示部と、
前記第１筐体の前記対向面に設けられたカメラ部と、を備え、
前記第１筐体と前記第２筐体とを開いた状態で、前記カメラ部が撮像した撮像画像を前記第１の表示部に表示し、
前記第１筐体と前記第２筐体とを開いた状態から前記第１筐体を表裏反転させた状態で、前記カメラ部が撮像した撮像画像を前記第２の表示部に表示する開閉式携帯端末装置。
【請求項２】
請求項１記載の開閉式携帯端末装置であって、
前記第１又は第２筐体内に設けられたスピーカから出力される音を筐体外に導く放音部を備え、
前記放音部は、前記第１筐体と前記第２筐体とを開いた状態で前記第１の表示部に関連した音声を出力し、前記第１筐体と前記第２筐体とを開いた状態から前記第１筐体を表裏反転させた状態で、前記第２の表示部に関連した音声を出力する開閉式携帯端末装置
【請求項３】
請求項２に記載の開閉式携帯端末装置であって、
前記放音部は、前記第１筐体と前記第２筐体とを開いた状態で、前記対向面側に向いて露呈し、かつ前記第１筐体と前記第２筐体とを開いた状態から前記第１筐体を表裏反転させた状態で、前記対向面側に向いて露呈する開閉式携帯端末装置。
【請求項４】
請求項３に記載の開閉式携帯端末装置であって、
前記放音部は前記ヒンジ部に設けた開閉式携帯端末装置。
【請求項５】
請求項４に記載の開閉式携帯端末装置であって、
前記放音部は前記ヒンジ部の両端部に設けた開閉式携帯端末装置。
【請求項６】
請求項４に記載の開閉式携帯端末装置であって、
前記放音部は第１放音孔と第２放音孔とを有してなり、前記第１筐体と第２筐体とを重畳させて閉じたときには、前記第１放音孔は前記反対面側に向いて露呈されるとともに前記第２放音孔は前記第１又は第２筐体に覆われ、前記第１筐体と第２筐体とを開いたときには、前記第２放音孔は前記対向面側に向いて露呈されるとともに前記第１放音孔は前記第１又は第２筐体に覆われるように配設した開閉式携帯端末装置。
【請求項７】
請求項３に記載の開閉式携帯端末装置であって、
前記対向面は、前記第１筐体と前記第２筐体とが重畳する第１領域と露呈される第２領域とを有し、前記第２筐体において前記第２領域に前記放音部を配設した開閉式携帯端末装置。
【請求項８】
請求項１から請求項７のいずれかに記載の開閉式携帯端末装置であって、
前記反対面に操作部を設け、前記第２の表示部及び操作部が露呈されるように前記第１筐体と前記第２筐体とを重畳させて閉じたとき、前記操作部を操作することにより前記第２の表示部に表示される情報の表示態様を変更するように構成した開閉式携帯端末装置。
【発明の詳細な説明】
【技術分野】
【０００１】
本発明は、開閉式携帯端末装置に関し、特にスピーカから出力される着信音や音声等を筐体外に導く放音部の配置構成に関する。
【背景技術】
【０００２】
従来の開閉式携帯端末装置としては、特開２００１−１６９１６６号公報に記載されているものがある。この開閉式携帯端末装置は、表面に表示部、裏面にスピーカから出力される音声を筐体外に導く放音孔を備える第１筐体と、操作部を備える第２筐体と、前記第１筐体と前記第２筐体とを回転自在に連結する軸部とからなる。この軸部は、前記第２筐体の操作部が設けられた側面に対し、前記第１筐体の表示部が配置された第１側面（表面）及び前記表面とは反対側の第２側面（裏面）とが対向して閉じられるようになっている。
【特許文献１】特開２００１−１６９１６６号公報
【発明の開示】
【発明が解決しようとする課題】
【０００３】
しかしながら、従来の開閉式携帯端末装置は、第１に、操作部に対して表示部が対向するようにして閉じたときには、使用者に対して放音孔が向けられるのでスピーカから出力される音声等を明瞭に聞くことはできるが、表示部に表示される情報を見ることができないという課題を有する。第２に、この閉じた状態より開いた場合においては、使用者側には表示部が向けられるが放音孔は使用者側に向けられないため、スピーカから音声等が出力されても使用者には明瞭に聞こえないという課題を有する。さらに、使用者により良く聞こえるように音量を大きくした場合、周囲の人の迷惑になってしまう場合もあるので、音量を大きくできない。第３に、操作部に対して放音孔が対向するようにして閉じたときには、使用者に対して表示部が向けられるので表示部に表示される情報は見ることができるが、使用者に対して放音孔が向いていないため放音孔から導かれる音声等は聞き取りづらくなってしまう。また、使用者によっては表示部に表示された表示情報が他人に見られたくないと思う人もいるので、このような人は表示部が隠れるように閉じるので、開閉何れの状態でも前述した多くの課題を有する。
【０００４】
本発明は上記問題点に鑑み、第１に、開閉いずれの状態であっても使用者側に放音孔を向けることで、使用者には放音孔から導かれる音声等が明瞭に聞こえるようにすることができる開閉式携帯端末装置を提供することを目的とする。また、第２に、表示部が露呈されるように閉じた状態でも使用者には放音孔から導かれる音声等が明瞭に聞こえるようにし、しかも、表示部に表示された表示情報が他人から見られたくない場合、簡単な操作で表示された表示情報を覗かれることを防止できる開閉式携帯端末装置を提供することを目的とする。
【課題を解決するための手段】
【０００５】
本発明の第１の構成に係る開閉式携帯端末装置は、第１筐体と、第２筐体と、前記第１筐体と前記第２筐体とを開閉可能に連結し、かつ前記第１筐体と前記第２筐体とを開いた状態から前記第１筐体を表裏反転可能に連結するヒンジ部と、前記第１筐体において、前記第１筐体と前記第２筐体が閉じたときに対向する対向面に設けられた第１の表示部と、前記第１筐体において、前記対向面と反対側の反対面に設けられた第２の表示部と、前記第１筐体の前記対向面に設けられたカメラ部と、を備え、前記第１筐体と前記第２筐体とを開いた状態で、前記カメラ部が撮像した撮像画像を前記第１の表示部に表示し、前記第１筐体と前記第２筐体とを開いた状態から前記第１筐体を表裏反転させた状態で、前記カメラ部が撮像した撮像画像を前記第２の表示部に表示するものである。
また、本発明の第２の構成に係る開閉式携帯端末装置は、第１の構成において、前記第１又は第２筐体内に設けられたスピーカから出力される音を筐体外に導く放音部を備え、前記放音部は、前記第１筐体と前記第２筐体とを開いた状態で前記第１の表示部に関連した音声を出力し、前記第１筐体と前記第２筐体とを開いた状態から前記第１筐体を表裏反転させた状態で、前記第２の表示部に関連した音声を出力するものを含む。
また、本発明の第３の構成に係る開閉式携帯端末装置は、第２の構成において、前記放音部は、前記第１筐体と前記第２筐体とを開いた状態で、前記対向面側に向いて露呈し、かつ前記第１筐体と前記第２筐体とを開いた状態から前記第１筐体を表裏反転させた状態で、前記対向面側に向いて露呈するものを含む。
【０００６】
この構成によれば、例えばテレビ電話をする場合において、通話相手に使用者の前方の風景等を見せたいときに、使用者もその景色を確認しながら通話相手にカメラ部が撮像している撮像画像を伝えることができる。また、第１の表示部が使用者とは反対側に向いてしまったときでも、通話相手とカメラ部が撮影している画像を確認しながらテレビ電話を続行することができる。
また、カメラ部が使用者と反対側を向いているときでも、カメラ部が使用者側を向いているときでも、使用者側に放音孔を向けることができる。また、表示部に表示される表示情報を見ながら操作するために表示部が露呈するように開いている場合には、着信音及び表示部に関する音声やキー音等を使用者に明瞭に伝えることができる。また、表示部を保護するために、表示部が隠れるように閉じたときでも着信音等を使用者に明瞭に伝えることができる。
また、例えば、携帯時など表示部に表示される表示情報を見る必要がなく、且つ表示部やカメラ部を保護するために表示部が隠れるように閉じたときでも、使用者側に放音部を向けることができる。また、カメラによって撮像した撮像画像を表示部に表示したい場合、またはテレビ電話をする場合などに、表示部を露出するように開いたときでも使用者側に放音部を向けることができる。
【０００７】
本発明の第４の構成に係る開閉式携帯端末装置は、第３の構成において、前記放音部は前記ヒンジ部に設けたものである。
【０００８】
この構成によれば、第１筐体及び第２筐体を大型化せずに開閉何れの状態でも使用者側に放音部を向けることができる。
【０００９】
本発明の第５の構成に係る開閉式携帯端末装置は、第４の構成において、前記放音部は前記ヒンジ部の両端部に設けたものである。
【００１０】
この構成によれば、１対の放音孔が離れて位置されて、ステレオシステムの１対のスピーカのように配置できるので、ステレオ音は効果的に出力されるようになる。
【００１１】
本発明の第６の構成に係る開閉式携帯端末装置は、第４の構成において、前記放音部は第１放音孔と第２放音孔とを有してなり、前記第１筐体と第２筐体とを重畳させて閉じたときには、前記第１放音孔は前記反対面側に向いて露呈されるとともに前記第２放音孔は前記第１又は第２筐体に覆われ、前記第１筐体と第２筐体とを開いたときには、前記第２放音孔は前記対向面側に向いて露呈されるとともに前記第１放音孔は前記第１又は第２筐体に覆われるように配設したものである。
【００１２】
この構成によれば、第１筐体及び第２筐体を大型化せずに開閉何れの状態でも使用者側に一方の放音部を向けることができる。
【００１３】
本発明の第７の構成に係る開閉式携帯端末装置は、第３の構成において、前記対向面は、前記第１筐体と前記第２筐体とが重畳する第１領域と露呈される第２領域とを有し、前記第２筐体において前記第２領域に前記放音部を配設したものである。
【００１４】
この構成によれば、第１筐体及びヒンジ部を大型化せずに開閉何れの状態でも使用者側に放音部を向けることができる。
【００２１】
本発明の第８の構成に係る開閉式携帯端末装置は、第１から第７のいずれかの構成において、前記反対面に操作部を設け、前記第２の表示部及び操作部が露呈されるように前記第１筐体と前記第２筐体とを重畳させて閉じたとき、前記操作部を操作することにより前記第２の表示部に表示される情報の表示態様を変更するように構成したものである。
【００２２】
この構成によれば、閉じているときに表示部に表示されている情報等を周囲の人に見られたくないときなどに、第１筐体を開くことなく容易に表示部に表示されている情報等を非表示にできる。さらに、この閉じている状態でも使用者側に放音孔が向いているので着信音等を明瞭に聞くことができる。
【発明の効果】
【００２５】
本発明によれば、例えばテレビ電話をする場合において、通話相手に使用者の前方の風景等を見せたいときに、使用者もその景色を確認しながら通話相手にカメラ部が撮像している撮像画像を伝えることができる。また、第１の表示部が使用者とは反対側に向いてしまったときでも、通話相手とカメラ部が撮影している画像を確認しながらテレビ電話を続行することができる。また、開閉いずれの状態であっても使用者側に放音孔を向けることで、使用者には放音孔から導かれる音声等が明瞭に聞こえるようにすることができる。また、表示部が露呈されるように閉じた状態でも使用者には放音孔から導かれる音声等が明瞭に聞こえるようにし、しかも、表示部に表示された表示情報が他人から見られたくない場合、簡単な操作で表示された表示情報を覗かれることを防止できる。
【発明を実施するための最良の形態】
【００２６】
以下、図面を参照して本発明の実施の形態を説明する。
本実施の形態では、開閉式携帯端末装置の一種である開閉式（折り畳み式）携帯電話機を例にして述べる。
【００２７】
（第１実施形態）
図１は、本発明の第１実施形態に係る開閉式携帯端末装置の閉じた状態を示す斜視図である。図２は、本発明の第１実施形態に係る開閉式携帯端末装置の開いた状態を示す斜視図である。図３は、本発明の第１実施形態に係る開閉式携帯端末装置の開いた状態で第１筐体を１８０°回転させた状態を示す斜視図である。図４は、本発明の第１実施形態に係る開閉式携帯端末装置の開いた状態を示す正面図である。図５は、本発明の第１実施形態に係る開閉式携帯端末装置の開いた状態における横断面図である。図６は、本発明の第１実施形態に係る開閉式携帯端末装置の閉じた状態における横断面図である。図７は、本発明の実施形態に係る開閉式携帯端末装置の電気的構成を示すブロック図である。
【００２８】
図１乃至図７に示すように、本発明の第１実施形態における携帯電話機は、第１筐体１０１ａと第２筐体１０１ｂとがヒンジ部１０２により開閉可能に連結された筐体１０１を有して構成される。この携帯電話機は、アンテナ１０３、送受信部１０４、バイブレータ部１０５、第１操作部１０６、第２操作部１０７、情報記録部１０８、電池１０９、受話部（レシーバ）１１０、送話部（マイクロフォン）１１１、カメラ部１１２、ホール素子１１３、永久磁石１１４、第１の表示部１１５、第２の表示部１１６、スピーカ１１７、第１放音孔１１８、第２放音孔１１９及び制御部１２０を具備している。
【００２９】
第１筐体１０１ａには、第２操作部１０７、受話部１１０、カメラ部１１２、第１の表示部１１５、第２の表示部１１６、第１放音孔１１８、第２放音孔１１９が設けられるとともに、内部にアンテナ１０３、永久磁石１１４及びスピーカ１１７が設けられている。また、第２筐体１０１ｂには、第１操作部１０６、電池１０９、送話部１１１が設けられるとともに、内部に送受信部１０４、バイブレータ部１０５、情報記憶部１０８、ホール素子１１３及び制御部１２０が設けられている。
【００３０】
図７に示すように、送受信部１０４はアンテナ１０３に接続され、外部の基地局などとの間で無線通信による送信及び受信を行う機能を有している。制御部１２０は、送受信部１０４、バイブレータ部１０５、第１操作部１０６、第２操作部１０７、情報記録部１０８、電池１０９、受話部１１０、送話部１１１、カメラ部１１２、ホール素子１１３、第１の表示部１１５、第２の表示部１１６、スピーカ１１７に接続され、これら各部の動作などを制御するようになっている。また、制御部１２０は電池１０９に接続され、この電池１０９から電力供給を受けて動作するようになっている。
【００３１】
アンテナ１０３は、無線信号を受信して受信信号を送受信部１０４に与える。送受信部１０４は、アンテナ１０３からの受信信号を処理して受話部１１０に与える。受話部１１０は、送受信部１０４からの受信信号に応答して音声を出力する。送話部１１１は、音声を受けて送信信号に変換して送受信部１０４に与える。送受信部１０４は、送話部１１１からの送信信号を処理してアンテナ１０３に与える。アンテナ１０３は、送受信部１０４からの送信信号を受けて無線信号として送信する。
【００３２】
バイブレータ部１０５は、着信時等に起振して着信等のイベントを振動で報知するためのものである。第１操作部１０６は、文字、記号、数字及び操作信号等を入力したり、カメラ部１１２を操作するためのもので、複数の操作ボタン及びスイッチを備えて構成される。第２操作部１０７は、第１及び第２の表示部１１５、１１６の表示態様を変更させたり非表示にさせたりするためのもので、操作ボタン及びスイッチを備えて構成される。情報記録部１０８は、制御部１２０の制御に基づき、電話番号情報、音声情報、非音声情報、画像情報などを記録できるようになっている。
【００３３】
第１及び第２の表示部１１５、１１６は、液晶表示器により構成され、文字、記号、数字及び画像等を表示する。第１の表示部１１５は、第１及び第２筐体１０１ａ、１０１ｂを開いた場合に露呈する第１筐体１０１ａの第１の面（第１筐体の主面（前面ともいう、請求項記載の対向面に相当する））に設けられている。第２の表示部１１６は、第１筐体１０１ａにおける第１の面とは反対側の第２の面（第１筐体の副面（背面ともいう、請求項記載の反対面に相当する））に設けられている。カメラ部１１２は、第１筐体１０１ａの主面に設けられ、第１の表示部１１５の前方を撮像するように配置されている。また、第１操作部１０６は、両筐体を開いた場合に露呈する第２筐体１０１ｂの第１の面（第２筐体の主面（前面ともいう、請求項記載の対向面に相当する））に設けられている。
【００３４】
筐体１０１は、第１筐体１０１ａ及び第２筐体１０１ｂの２つの部材により構成されている。ヒンジ部１０２は、第１筐体１０１ａの主面の端部中央に形成されている第１ヒンジ部１０２ａと、第２筐体１０１ｂの主面の一端の両端に形成されている第２ヒンジ部１０２ｂとで構成されており、第２ヒンジ部１０２ｂの間に第１ヒンジ部１０２ａが配設されて、ヒンジ部中心を回動中心として連結されている。
【００３５】
このように構成された携帯電話機は、携帯時には、第１筐体１０１ａが第２筐体１０１ｂと隣接して対向するように閉じられた状態（折り畳まれた状態）（図１及び図６に示す）で用いられる。使用時（通話時など）には、第１筐体１０１ａと第２筐体１０１ｂとを９０度以上開いた状態（図２乃至図５に示す）で用いられる。
【００３６】
永久磁石１１４は、第１筐体１０１ａの先端部における主面の近傍内部に設けられている。ホール素子１１３は、第１筐体１０１ａと第２筐体１０１ｂが閉じられた状態のときに第１筐体１０１ａの主面と対向する第２筐体１０１ｂの先端部における面（第２筐体の主面）の近傍内部に設けられている。第１筐体１０１ａ及び第２筐体１０１ｂが閉じられたときには永久磁石１１４がホール素子１１３に近接するため、ホール素子１１３が永久磁石１１４からの磁力を検出して検出信号を制御部１２０に与える。また、第１筐体１０１ａと第２筐体１０１ｂが開かれた状態のときには、永久磁石１１４がホール素子１１３から離れているため、ホール素子１１３が永久磁石１１４からの磁力を検出できないので検出信号は生成されない。
【００３７】
制御部１２０は、ホール素子１１３からの検出信号を受けるか否かにより、第１筐体１０１ａ及び第２筐体１０１ｂの開閉状態を認識することができる。
【００３８】
スピーカ１１７は、音声や着信を報知する着信音等を発声出力するものであり、第１筐体１０１ａに内蔵されている。このスピーカ１１７から出力される音声や着信音等は、第１放音孔１１８または第２放音孔１１９から発せられる。
【００３９】
次に、第１放音孔１１８及び第２放音孔１１９の配置構成及び作用について詳述する。図１乃至図６に示すように、第１放音孔１１８は、第１筐体１０１ａのヒンジ部１０２の副面側に形成されていて、第２放音孔１１９は、第１筐体１０１ａのヒンジ部１０２の主面側に形成されている。
【００４０】
図１に示すように、第１筐体１０１ａと第２筐体１０１ｂが重畳するように閉じた状態では、第１放音孔１１８は第１筐体１０１ａの副面側に露呈しており、第２放音孔１１９は、第２筐体１０１ｂの主面によって覆われている。そのため、使用者側に露呈している第１放音孔１１８からのみ音声や着信を報知する着信音等が出力される。また、図２に示すように、第１筐体１０１ａと第２筐体１０１ｂが開いた状態では、第１放音孔１１８は、第２筐体１０１ｂの主面によって覆われ、第２放音孔１１９は、第２筐体１０１ｂの主面側に露呈している。そのため、使用者側に露呈している第２放音孔１１９からのみ音声や着信を報知する着信音等が出力される。
【００４１】
すなわち、第１筐体１０１ａと第２筐体１０１ｂがヒンジ部１０２を介して開閉可能に連結された開閉式携帯電話機において、閉じている状態であっても開いている状態であっても、第１放音孔１１８もしくは第２放音孔１１９のいずれか一方の放音孔のみを使用者側に露呈させることができるので、音声や着信を報知する着信音等を使用者に着実に伝えることができる。
【００４２】
次に、第２操作部１０７の配置構成及び作用について詳述する。図１に示すように、第２操作部１０７は第１筐体１０１ａの副面に配設されている。
【００４３】
図１に示すように、第１筐体１０１ａの副面側が使用者側に露呈している状態で、第１筐体１０１ａと第２筐体１０１ｂが閉じているとき、使用者は第２の表示部１１６に表示されている文字や画像等の情報を見ることができる。しかし、状況によっては、表示情報を周囲の人に見られたくなかったり電池１０９を節約したかったりするときがある。このときは、第２操作部１０７を操作することによって、電源を切ることなく第２の表示部１１６の表示を非表示にすることができる。また、時計表示、ダウンロードした静止画像や動画像の表示、カメラで撮像した撮像画像や動画像の表示等への切り替えも可能である。
【００４４】
次に、このような本発明の第１実施形態に係る開閉式携帯端末装置の使用例について説明する。
【００４５】
第１筐体１０１ａと第２筐体１０１ｂを閉じた待ち受け状態では、使用者側に第２の表示部１１６が露出されているが、この第２の表示部１１６には日付、時刻、電池残容量や受信状態（電界強度を示すマーク）等の情報が表示される。また、これらの情報と共に、ダウンロードした画像（静止画像や動画像）やカメラ部１１２によって撮影した静止画像や動画像を表示させることができる。さらに、第２の表示部１１６に表示されている文字や画像等の情報を周囲の人に見られたくないときや、見る必要がないときや電池１０９の節約をしたいときなどは、第２操作部１０７の一回の押圧操作によって第２の表示部１１６を非表示にすることができる。また、非表示の状態より一回の押圧操作によって再表示させることもできる。さらに、時計表示やカメラ部１１２によって撮影した画像、ダウンロードした画像等の表示に切り替えることもできる。
【００４６】
すなわち、第２操作部１０７の操作により、第２の表示部１１６を使用者の要求に合った表示及び非表示にすることができる。このとき、図１及び図６に示すように、第１放音孔１１８は第１筐体１０１ａの副面側に向いていて、第２放音孔１１９は第２筐体１０１ｂの主面によって覆われている。このため、第１筐体１０１ａと第２筐体１０１ｂが閉じた状態では、着信音等は第２の表示部１１６の表示、非表示に関わらず、第１放音孔１１８から周囲には音が漏れることがなく使用者側にのみ明瞭に伝えられる。また、この閉じた状態でカメラ部１１２によって撮影した静止画像や動画像を閲覧するビューワーとしても利用でき、この場合の音声等も第１放音孔１１８から周囲には音が漏れることがなく使用者側にのみ明瞭に伝えられる。
【００４７】
通常通話時は、第１筐体１０１ａと第２筐体１０１ｂを開いた状態で使用する。このとき、図２及び図５に示すように、第１放音孔１１８は第２筐体１０１ｂの主面によって覆われていて、第２放音孔１１９が第１筐体１０１ａの主面側に露出する。このため、ハンズフリー機能を使用して筐体から離れた状態で通話するときには、音声等を、使用者側に向いた第２放音孔１１９から周囲に音が漏れることなく使用者側にのみ明瞭に伝えることができる。なお、開いた状態で受信待ち受け状態とすることもできる。
【００４８】
ハンズフリー動作でテレビ電話として使用するときは、通話相手の音声の出力は受話部１１０よりスピーカ１１７に切り替えられる。このとき、通常は図２に示すように、第１筐体１０１ａと第２筐体１０１ｂは開いた状態で使用する。また、通話相手に使用者の視界方向の景色等の画像を見せたいときには、図３に示すように、開いた状態から第１筐体１０１ａを１８０°回転させて使用する。この図２及び図３のどちらの状態でも、図５に示すように第１放音孔１１８は第２筐体１０１ｂの主面によって覆われていて、第２放音孔１１９が第１筐体１０１ａの主面側に露出する。このため、通話相手の音声等を、使用者側に向いた第２放音孔１１９から周囲に音を漏らすことなく使用者側にのみ明瞭に伝えることができる。
【００４９】
またこのとき、第１の表示部１１５には、通話相手が撮像する撮像画像と、使用者のカメラ部１１２が撮像する撮像画像を表示する。さらに、カメラ部１１２が使用者とは反対側に向いているときは、第２操作部１０７を操作することによって、第１の表示部１１５に表示されている画像と同様の画像を第２の表示部１１６に表示させたり非表示にしたりすることができる。これにより、第１の表示部１１５が使用者とは反対側に向いてしまったときでも、通話相手とカメラ部１１２が撮影している画像を確認しながらテレビ電話を続行することができる。
【００５０】
動画及び静止画の撮影時で、使用者側を撮影したいときは、図２に示すように、第１筐体１０１ａと第２筐体１０１ｂを開いた状態で使用する。この場合、第１の表示部１１５にカメラ部１１２による撮像画像が表示され、第２の表示部１１６は非表示である。また、使用者の視界方向を撮影したい場合は、図３に示すように、開いた状態から第１筐体を１８０°回転させて使用する。この場合、第２の表示部１１６にカメラ部１１２による撮像画像が表示される。このときの第１の表示部１１５の表示／非表示は、第２操作部１０７によって切り替えることができて、風景等を撮影するときなどは第１の表示部１１５は非表示でよいし、人物を撮影するときで、被写体の人物が撮像画像を確認しながら撮影したい場合は、第１の表示部１１５を表示すればよい。
【００５１】
着信音や音声等に関する設定をするときは、第１筐体１０１ａと第２筐体１０１ｂを開いた状態で使用する。このとき、第１放音孔１１８は第２筐体１０１ｂの主面によって覆われていて、第２放音孔１１９が第１筐体の主面側１０１ａに露出する。このため、着信音の設定に関する音声等を、使用者側に向いた第２放音孔１１９から周囲に音を漏らすことなく使用者側にのみ明瞭に伝えることができる。
【００５２】
情報提供サーバ等からダウンロードした音楽や、情報記憶媒体に記憶させた音楽等を聴く場合は、第１筐体１０１ａと第２筐体１０１ｂを開閉いずれの状態でも使用できる。第１筐体１０１ａと第２筐体１０１ｂが開いているとき、第１放音孔１１８は第２筐体１０１ｂの主面によって覆われていて、第２放音孔１１９が第１筐体１０１ａの主面側に露出する。第１筐体１０１ａと第２筐体１０１ｂが閉じているとき、第１放音孔１１８は第１筐体１０１ａの副面側に露出していて、第２放音孔１１９は第２筐体１０１ｂの主面によって覆われている。このため、開閉何れの状態でも音楽等を使用者側に向いた第１放音孔１１８または第２放音孔１１９から周囲に音を漏らすことなく使用者側にのみ明瞭に伝えることができる。
【００５３】
なお、本実施形態においては、ヒンジ部１０２の形状は図１及び図２に示すように、第１筐体１０１ａの一側面の端部中央に形成されている第１ヒンジ部１０２ａと、第２筐体１０１ｂの第１操作部１０６を有する面の一端の両端に形成されている第２ヒンジ部１０２ｂで構成され、第２ヒンジ部１０２ｂの間に第１ヒンジ部１０２ａが配設されていて、ヒンジ部中心を軸として連結されている。しかし、ヒンジ部１０２の形状は必ずしもこのような構成に限定されるものではない。例えば、図８及び図９に示す変形例のように、第１筐体１０１ａと第２筐体１０１ｂのヒンジ形状が逆になる構成でもよい。この場合、第１ヒンジ部１０２ａが第２筐体１０１ｂに形成され、第２ヒンジ部１０２ｂが第１筐体１０１ａに形成される構成となる。
【００５４】
また、本実施形態においては、カメラ部１１２は第１筐体１０１ａの第１の表示部１１５を有する面（主面）に配設されている。しかし、カメラ部１１２の位置は必ずしもこのような構成に限定されるものではない。例えば、第１筐体１０１ａの第２の表示部１１６を有する面（副面）に配設されていてもよい。
【００５５】
また、本実施形態においては、閉じたときに露出される第２の表示部１１６は文字情報や画像情報を表示するものとなっている。しかし、例えば、指紋や虹彩による、使用者を特定するための個人認証の機能として使用してもよい。
【００５６】
本発明の第１実施形態によれば、開閉式の携帯端末装置において、通常通話、テレビ電話、動画や静止画の撮影及び音楽等を聴く場合など、あらゆる状態において放音孔が使用者側のみに向いているから、常にスピーカから出力される音声等を、周囲に漏れることなく使用者側に向けて発せられることにより明瞭に伝えることができる。
【００５７】
また、本発明の第１実施形態によれば、開閉式の携帯端末装置が閉じている状態において、露出している表示部と同一面に配設されている操作部でこの表示部の表示情報を操作できるから、使用者の要求に合った情報、例えば時刻、カメラで撮影した画像やダウンロードなどにより保存されている画像情報などの表示に切り替えることができる。さらに、表示／非表示も操作できるから、露出している表示部を周囲の人に見られたくないときや、電池を節約したいときなどに、簡単な操作で表示部の表示を非表示にすることができる。
【００５８】
（第２実施形態）
図１０は、本発明の第２実施形態に係る開閉式携帯端末装置の閉じた状態を示す斜視図である。図１１は、本発明の第２実施形態に係る開閉式携帯端末装置の開いた状態を示す斜視図である。図１２は、本発明の第２実施形態に係る開閉式携帯端末装置の開いた状態を示す正面図である。本発明の第２実施形態においては、本発明の第１実施形態とは、スピーカと放音孔の配置位置のみが異なるものであり、本発明の第１実施形態と同一構成要素には同一符号を付して説明を省略する。
【００５９】
図１０及び図１１に示すように、本発明の第２実施形態においては、第３放音孔１２１及び第４放音孔１２２が、第２筐体１０１ｂの第１操作部１０６を有する面（主面）の一端の両端部に形成されている第２ヒンジ部１０２ｂにおいてそれぞれ配設されている。また、この第３及び第４放音孔１２１、１２２に対応してそれぞれスピーカ１１７が設けられ、これらのスピーカ１１７からステレオ音が出力される。
【００６０】
本発明の第２実施形態によれば、第１実施の形態と同様に、開閉式の携帯端末装置において、通常通話、テレビ電話、動画や静止画の撮影及び音楽等を聴く場合など、あらゆる状態において放音孔が使用者側のみに向いているから、常にスピーカから出力される音声等を、周囲に漏れることなく使用者側に向けて発せられることにより明瞭に伝えることができる。さらに、第２実施形態では、一対の放音孔が離れて配置されており、ステレオシステムの一対のスピーカのように配設されるので、ステレオ音は効果的に出力されるようになる。
【００６１】
（第３実施形態）
図１３は、本発明の第３実施形態に係る開閉式携帯端末装置の閉じた状態を示す斜視図である。図１４は、本発明の第３実施形態に係る開閉式携帯端末装置の開いた状態を示す斜視図である。本発明の第３実施形態においては、本発明の第１実施形態とは、スピーカの放音孔の配置位置のみが異なるものであり、本発明の第１実施形態と同一構成要素には同一符号を付して説明を省略する。
【００６２】
図１３に示すように、第１筐体１０１ａは、折り畳んだときに第２筐体１０１ｂに覆われる領域と常に露呈される領域とを有し、この露呈される領域にスピーカ１１７及び放音孔１３１を配設したものである。従って、図１３の閉じた状態及び図１４の開いた状態の開閉何れの状態においても、第１及び第２実施形態と同様に、常に使用者側に放音孔を向けることができるため、前述した多くの効果を有する。
【００６３】
以上説明した本発明の実施の形態によれば、開閉式の携帯端末装置において、通常通話、テレビ電話、静止画像や動画像の撮影及び音楽等を聴く場合など、開閉何れの状態においても放音孔を使用者側へ向けることができるので、常にスピーカから出力される音声等を、周囲に漏れることなく使用者側に向けて発せられることによって明瞭に伝えることができる。また、一対のスピーカ及び放音孔を配設することで、ステレオ音を効果的に出力することができる。
【００６４】
また、開閉式の携帯端末装置が閉じている状態において、露出している表示部と同一面に配設されている操作部でこの表示部の表示情報を操作できるので、使用者の要求に合った情報、例えば時刻、カメラで撮影した画像やダウンロードなどにより保存されている画像情報などの画面に切り替えることができる。さらに、表示／非表示も操作できるから、露出している表示部を周囲の人に見られたくないときや、電池を節約したいときなどに、簡単な操作で表示部の表示を非表示にすることで目的を達せられる。
【産業上の利用可能性】
【００６５】
本発明は、開閉いずれの状態であっても使用者側に放音孔を向けることで、使用者には放音孔から導かれる音声等が明瞭に聞こえるようにすることができる効果、また、表示部が露呈されるように閉じた状態でも使用者には放音孔から導かれる音声等が明瞭に聞こえるようにし、しかも、表示部に表示された表示情報が他人から見られたくない場合、簡単な操作で表示された表示情報を覗かれることを防止できる効果を有し、スピーカから出力される着信音や音声等を筐体外に導く放音部を備える開閉式携帯端末装置等として有用である。
【図面の簡単な説明】
【００６６】
【図１】本発明の第１実施形態に係る開閉式携帯端末装置の閉じた状態を示す斜視図
【図２】本発明の第１実施形態に係る開閉式携帯端末装置の開いた状態を示す斜視図
【図３】本発明の第１実施形態に係る開閉式携帯端末装置の開いた状態で第１筐体を１８０度回転させた状態を示す斜視図
【図４】本発明の第１実施形態に係る開閉式携帯端末装置の開いた状態を示す正面図
【図５】本発明の第１実施形態に係る開閉式携帯端末装置の開いた状態における横断面図
【図６】本発明の第１実施形態に係る開閉式携帯端末装置の閉じた状態における横断面図
【図７】本発明の第１実施形態に係る携帯電話機の電気的構成を示すブロック図
【図８】本発明の実施形態に係る開閉式携帯端末装置のヒンジ部の形状を変更した例の閉じた状態を示す斜視図
【図９】本発明の実施形態に係る開閉式携帯端末装置のヒンジ部の形状を変更した例の開いた状態を示す斜視図
【図１０】本発明の第２実施形態に係る開閉式携帯端末装置の閉じた状態を示す斜視図
【図１１】本発明の第２実施形態に係る開閉式携帯端末装置の開いた状態を示す斜視図
【図１２】本発明の第２実施形態に係る開閉式携帯端末装置の開いた状態を示す正面図
【図１３】本発明の第３実施形態に係る開閉式携帯端末装置の閉じた状態を示す斜視図
【図１４】本発明の第３実施形態に係る開閉式携帯端末装置の開いた状態を示す斜視図
【符号の説明】
【００６７】
１０１    筐体
１０１ａ  第１筐体
１０１ｂ  第２筐体
１０２    ヒンジ部
１０２ａ  第１ヒンジ部
１０２ｂ  第２ヒンジ部
１０３    アンテナ
１０４    送受信部
１０５    バイブレータ部
１０６    第１操作部
１０７    第２操作部
１０８    情報記録部
１０９    電池
１１０    受話部（レシーバ）
１１１    送話部（マイクロフォン）
１１２    カメラ部
１１３    ホール素子
１１４    永久磁石
１１５    第１の表示部
１１６    第２の表示部
１１７    スピーカ
１１８    第１放音孔
１１９    第２放音孔
１２０    制御部
１２１    第３放音孔
１２２    第４放音孔
１３１    放音孔
【図１】
0004440289.tif 000002
【図２】
0004440289.tif 000003
【図３】
0004440289.tif 000004
【図４】
0004440289.tif 000005
【図５】
0004440289.tif 000006
【図６】
0004440289.tif 000007
【図７】
0004440289.tif 000008
【図８】
0004440289.tif 000009
【図９】
0004440289.tif 000010
【図１０】
0004440289.tif 000011
【図１１】
0004440289.tif 000012
【図１２】
0004440289.tif 000013
【図１３】
0004440289.tif 000014
【図１４】
0004440289.tif 000015